(57)【要約】  【構成】  オペレータがＣＳ放送を常に利用しない旨を設定すれば、シスコンマイコン６６がスイッチＳＷ１をオフする。これによってＣＳディジタル回路１８への電力の供給が停止される。また、オペレータがＣＳ放送を利用するときでも、選局したＣＳ放送チャネルがラジオ放送チャネルであれば、スイッチＳＷ４がオフされ、映像出力回路４４への電力の供給が停止される。また、選局されたＣＳ放送チャネルがデータ放送チャネルであれば、スイッチＳＷ３およびＳＷ４がオフされ、音声出力回路４６および映像出力回路４４への電力の供給が停止される。  【効果】  放送の出力に必要な回路にのみ電力を供給するようにしたため、無駄な電力の消費を防止することができる。【選択図】  図１
2005143130.tif 000002
【特許請求の範囲】
【請求項１】
ディスプレイに映像を表示する第１チャネルと前記ディスプレイに映像を表示しない第２チャネルとを含むディジタル放送を受信するテレビジョン受像機において、
前記第２チャネルが選択されたとき前記ディスプレイの電源をオフする第１電源オフ手段を備えることを特徴とする、テレビジョン受像機。
【請求項２】
前記第２チャネルは音声出力回路から音声を出力しない第３チャネルを含み、
前記第３チャネルが選択されたとき前記音声出力回路の電源をオフする第２電源オフ手段をさらに備える、請求項１記載のテレビジョン受像機。
【請求項３】
前記第３チャネルはデータ放送チャネルである、請求項２記載のテレビジョン受像機。
【請求項４】
前記ディジタル放送を受信する第１受信手段、
アナログ放送を受信する第２受信手段、
前記アナログ放送のみを受信するアナログ受信モードを設定するモード設定手段、
前記アナログ受信モードが設定されたとき前記第１受信手段の電源をオフする第３電源オフ手段をさらに備える、請求項１ないし３のいずれかに記載のテレビジョン受像機。
【請求項５】
ディジタル放送を受信する第１受信手段およびアナログ放送を受信する第２受信手段を備えるテレビジョン受像機において、
前記アナログ放送のみを受信するアナログ受信モードを設定するモード設定手段、および
前記アナログ受信モードが設定されたとき前記第１受信手段の電源をオフする電源オフ手段を備えることを特徴とする、テレビジョン受像機。
【発明の詳細な説明】
【技術分野】
【０００１】
この発明はテレビジョン受像機に関し、特にたとえば、通常放送のようにディスプレイに映像を表示するチャネルおよびデータ放送のようにディスプレイに映像を表示しないチャネルとを含むディジタル放送と地上波放送とを受信する、テレビジョン受像機に関する。
【背景技術】
【０００２】
ディジタル放送には、映像および音声の両方を放送する通常放送チャネルのほか、音声のみを放送するラジオ放送チャネルとコンピュータプログラムなどのデータを放送するデータ放送チャネルが含まれている。したがって、ディジタル放送を受信するテレビジョン受像機が通常放送チャネルを選択すると、ディスプレイおよびスピーカのそれぞれから映像および音声が出力され、ラジオ放送チャネルを選択するとスピーカから音声が出力され、そしてデータ放送を受信すると、通信ポート（インタフェース）からたとえばパーソナルコンピュータに対してデータが出力されていた。
【発明の開示】
【発明が解決しようとする課題】
【０００３】
このようなテレビジョン受像機において、ラジオ放送またはデータ放送を受信しているときにディスプレイの電源をオン状態にしておくと、無駄な電力が消費されてしまう。
【０００４】
それゆえに、この発明の主たる目的は、電力の浪費を防止することができる、テレビジョン受像機を提供することである。
【課題を解決するための手段】
【０００５】
第１の発明は、ディスプレイに映像を表示する第１チャネルとディスプレイに映像を表示しない第２チャネルとを含むディジタル放送を受信するテレビジョン受像機において、第２チャネルが選択されたときディスプレイの電源をオフする第１電源オフ手段を備えることを特徴とする、テレビジョン受像機である。
【０００６】
第２の発明は、ディジタル放送を受信する第１受信手段およびアナログ放送を受信する第２受信手段を備えるテレビジョン受像機において、アナログ放送のみを受信するアナログ受信モードを設定するモード設定手段、およびアナログ受信モードが設定されたとき第１受信手段の電源をオフする電源オフ手段を備えることを特徴とする、テレビジョン受像機である。
【０００７】
第１の発明では、通常放送を受信するときは、ディスプレイおよびスピーカの電源がオンされ、ディスプレイおよびスピーカのそれぞれから映像および音声が出力される。一方、ラジオ放送の受信時はディスプレイの電源がオフされ、データ放送の受信時はディスプレイおよびスピーカの両方の電源がオフされる。
【０００８】
第２の発明では、ディジタル放送の受信機のほかにアナログ放送の受信機が設けられており、アナログ放送のみを受信するアナログ受信モードが設定されていれば、ディジタル放送の受信機の電源がオフされる。
【発明の効果】
【０００９】
第１の発明によれば、ディスプレイに映像を表示しない第２チャネルが選択されたときはディスプレイの電源がオフされるため、無駄な電力の消費を防止することができる。
【００１０】
第２の発明によれば、アナログ受信モードが設定されていれば、ディジタル放送を受信する第１受信手段の電源がオフされるため、無駄な電力の消費を防止することができる。
【００１１】
この発明の上述の目的，その他の目的，特徴および利点は、図面を参照して行う以下の実施例の詳細な説明から一層明らかとなろう。
【発明を実施するための最良の形態】
【００１２】
図１を参照して、この実施例のテレビジョン受像機１０は、地上波放送を受信するためのアンテナ１２およびＣＳ(Communication Satellite) 放送を受信するためのアンテナ１４を含む。アンテナ１２で受信された地上波放送信号は地上波受信回路１６に含まれる地上波チューナ２０に与えられ、これによって所望のチャネルの放送信号が選局され、そのチャネルのＩＦ信号がＩＦ復調回路２２で復調される。一方、アンテナ１４で受信されたＣＳ放送信号は図２に示すＣＳチューナ２６に与えられ、これによって選局された所望のチャネルの放送信号がＱＰＳＫ復調回路２８，デスクランブラ３０およびデマルチプレクサ３２によって順次処理される。ＭＰＥＧデコーダ３４は、デマルチプレクサ３２からの出力に基づいてオーディオデータおよびビデオデータを生成する。オーディオデータはオーディオＤ／Ａ変換器３６でアナログのオーディオ信号に変換され、ビデオデータはＮＴＳＣエンコーダ３８によってＮＴＳＣフォーマットのビデオ信号（輝度信号および色差信号）に変換される。
【００１３】
なお、ＣＳ放送には、映像および音声の両方を同時に放送する通常放送チャネルのほかに音声のみを放送するラジオ放送チャネルおよびコンピュータプログラムなどのデータを放送するデータ放送チャネルが設けられており、ＣＳチューナ２６がデータ放送チャネルを選局したときは、そのチャネルに含まれるデータはデスクランブラ３０からインタフェース４０を介してパーソナルコンピュータ４２に出力される。また、ＣＳチューナがラジオ放送チャネルを受信したときは、ＭＰＥＧデコーダ３４からはオーディオデータのみが出力される。
【００１４】
映像出力回路４４に含まれる映像信号処理回路２４は、ＩＦ復調回路２２で復調されたカラー映像信号を受け、輝度信号および色差信号を生成する。スイッチ４８は映像信号処理回路２４からの輝度信号および色差信号とＣＳディジタル回路１８からの輝度信号および色差信号のいずれかを選択し、色信号再生回路５０に与える。色信号再生回路５０で再生されたＲＧＢ信号は、高圧回路５６によって高圧がかけられたＣＲＴ５２において偏向回路５４で偏向され、これによって所望の映像が表示される。
【００１５】
一方、ＩＦ復調回路２２で復調された音声信号は、音声信号処理回路５８で処理された後、スイッチ６０に与えられる。スイッチ６０は音声信号処理回路５８からの音声信号とＣＳディジタル回路１８からの音声信号とのいずれかを選択し、スピーカ６２に与える。したがって、スピーカ６２から地上波放送またはＣＳ放送の音声が出力される。
【００１６】
コンセント８０が電源に接続され、メインスイッチ７８がオンされているときは、電力が電源回路７６を介してマイコン６４に供給される。このとき図３に示すように各種キーが配置されたリモコン送信機７４が操作されると、リモコン受光器７２がリモコン送信機７４からの赤外線信号を受けキー入力データを、マイコン回路６４に含まれるシステムコントロールマイコン（シスコンマイコン）６６および選局マイコン６８に与える。シスコンマイコン６６はキー入力信号または選局マイコン６８からバス７０を介して送られてくる放送モード情報に従ってスイッチＳＷ１〜ＳＷ４をオン／オフする。また、選局マイコン６８はキー入力信号およびシスコンマイコン６６からのフラグ情報に従って所望のチャネルを選局する。
【００１７】
具体的には、シスコンマイコン６６は図４に示すフロー図を処理し、選局マイコンは図５〜図７に示すフロー図を処理する。まず図４を参照して、シスコンマイコン６６はステップＳ１で、図３に示す電源キー７４ａが操作されたかどうか判断し、“ＹＥＳ”であれば、ステップＳ５で連動フラグ６６ａがセットされているかどうか判断し、セットされていればステップＳ７でスイッチＳＷ１〜ＳＷ４をオンし、地上波受信回路１６，ＣＳディジタル回路１８，映像出力回路４４および音声出力回路４６の全てを起動する。一方、ＣＳフラグ６６ａがリセットされていれば、ステップＳ９でスイッチＳＷ２〜ＳＷ４のみをオンし、ＣＳディジタル回路１８への電力の供給を停止する。すなわち、連動フラグ６６ａがセットされていれば、電源キー７４ａの操作に連動してＣＳディジタル回路１８への電力の供給がオン／オフされる。なお、この連動フラグ６６ａはユーザがＣＳ放送を利用することがない場合に、ユーザのリモコン操作によってリセットされる。ステップＳ７またはＳ９の処理を終えると、ステップＳ１１で選局マイコン６８に連動フラグ６６ａがセットされているかどうかを示すフラグ情報を出力する。
【００１８】
図５に移って、選局マイコン６８はステップＳ３１でフラグ情報がシスコンマイコン６６から入力されたかどうか判断する。ここで“ＹＥＳ”であれば、ステップＳ３３で直前のチャネルすなわち前回電源がオフされたときに選局されていたＣＳ放送チャネルまたは地上波放送チャネルを選局し、次にステップＳ３５で連動フラグ６６ａがセットされているかどうか判断する。ここで“ＮＯ”であれば、ユーザはＣＳ放送を利用しないとしてステップＳ３７に進む。このステップではキー操作があったかどうか判断し、“ＹＥＳ”であれば、ステップＳ３９でそれがメニューキー７４ｃの操作であるかどうか判断する。ここで“ＹＥＳ”であれば、ステップＳ４１でメニュー処理を行いステップＳ３７に戻るが、“ＮＯ”であれば、ステップＳ４３で操作されたキーが数字キー７４ｆであるかどうか判断する。そして“ＹＥＳ”であれば、ステップＳ４５でその数字キーに従って所望の地上波放送チャネルの受信処理を行いステップＳ３７に戻るが、“ＮＯ”であればステップＳ３７におけるキー操作は地上波放送チャネルの選局に無関係であるとして、何の処理もせずにステップＳ３７に戻る。
【００１９】
一方、ステップＳ３５で“ＹＥＳ”と判断されれば、ステップＳ４７〜Ｓ５５においてステップＳ３７〜Ｓ４５と同じ処理を行うとともに、ステップＳ５３で“ＮＯ”と判断されたときにステップＳ５７〜Ｓ６５の処理を介してステップＳ４７に戻る。すなわち、ステップＳ５３で“ＮＯ”であれば、ステップＳ５７およびＳ５９のそれぞれでＣＳキー７４ｂおよび数字キー７４ｆが操作されたかどうか判断し、いずれか一方でも“ＮＯ”であればステップＳ４７に戻るが、いずれも“ＹＥＳ”であれば、ステップＳ６１でその操作に従って所望のＣＳ放送チャネルを選局する。そしてステップＳ６３で、選局されたチャネルの放送モードを判別し、すなわち選局したチャネルが通常放送チャネル、ラジオ放送チャネルおよびデータ放送チャネルのいずれであるかを判別し、ステップＳ６５でその判別結果（放送モード情報）をシスコンマイコン６６に出力し、そしてステップＳ４７に戻る。
【００２０】
ステップＳ４１およびＳ５１では、選局マイコン６８は図７に示すサブルーチンを処理する。すなわち、まずステップＳ７０で図８に示すようにディスプレイ８２にメニュー画面を表示し、ステップＳ７２でキー操作があったかどうか判断する。ここで“ＹＥＳ”であれば、ステップＳ７４で、操作されたキーがカーソルキー７４ｄであるかどうか判断し、“ＹＥＳ”であれば、ステップＳ７６でそのカーソルキー７４ｄの操作に従ってディスプレイ８２に表示されたカーソルをアップ／ダウンし、ステップＳ７２に戻る。一方、ステップＳ７４で“ＮＯ”であれば、ステップＳ７８で、操作されたキーが決定キー７４ｅであるかどうか判断し、“ＮＯ”であればそのキー操作を無効にしてステップＳ７２に戻るが、“ＹＥＳ”であれば、ステップＳ８０でカーソルがディスプレイ８２に表示されたメニューの(1) を指しているかどうか判断する。そして、“ＹＥＳ”であればユーザはＣＳ放送を利用するとして、ステップＳ８２で連動フラグ６６ａをセットしリターンするが、ステップＳ８０で“ＮＯ”であれば、ユーザはＣＳ放送を利用することはないとしてステップＳ８４で連動フラグ６６ａをリセットしリターンする。
【００２１】
図４に戻って、シスコンマイコン６６は、ステップＳ１３で選局マイコン６８から放送モード情報が入力されたかどうか判断する。ここで“ＮＯ”であれば、ステップＳ１５で電源キー７４ａが操作されたかどうか判断し、“ＮＯ”であればステップＳ１３に戻るが、“ＹＥＳ”であれば、ステップＳ２７で地上波受信回路１６，ＣＳディジタル回路１８，映像出力回路４４および音声出力回路４６への電力の供給を停止して処理を終了する。一方、ステップＳ１３で放送モード情報が入力されたと判断すると、ステップＳ１７で、選局マイコン６８によって選局されたＣＳ放送チャネルが通常放送チャネルであるかどうか判断する。そして“ＹＥＳ”であれば、ステップＳ１９でスイッチＳＷ３およびＳＷ４をオンすることによって映像出力回路４４および音声出力回路４６を起動しステップＳ１３に戻る。一方、ステップＳ１７で“ＮＯ”であれば、ステップＳ２１で、選局されたＣＳ放送チャネルがラジオ放送チャネルであるかどうか判断する。ここで“ＹＥＳ”であれば、放送されるのは音声のみであるため、スイッチＳＷ４をオフし、ステップＳ１３に戻る。ステップＳ２１で“ＮＯ”であれば、受信される放送はデータ放送であるとして、ステップＳ２５でスイッチＳＷ３およびＳＷ４の両方をオフし、ステップＳ１３に戻る。
【００２２】
このように、シスコンマイコン６６はＣＳフラグ６６ａがリセットされていれば、ユーザが利用することのないＣＳディジタル回路１８への電力の供給を停止する。また、ＣＳフラグ６６ａがセットされているときでも、選局されたＣＳ放送チャネルがラジオ放送チャネルであれば、映像出力回路４４への電力の供給を停止し、選局されたＣＳ放送チャネルがデータ放送チャネルであれば、映像出力回路４４および音声出力回路４６の両者への電力の供給を停止する。したがって、必要な回路にのみ電力が供給され、無駄な電力の消費を防止することができる。
【００２３】
ちなみに、ＣＳディジタル回路１８の電源をオフすることによって、約２０Ｗの電力を節約でき、映像出力回路４４（ＣＲＴ５２）の電源をオフすることによって、約１００Ｗの電力を節約することができる。
【図面の簡単な説明】
【００２４】
【図１】この発明の一実施例を示すブロック図である。
【図２】ＣＳディジタル回路１８を示すブロック図である。
【図３】リモコン送信機を示す図解図である。
【図４】シスコンマイコンの処理を示すフロー図である。
【図５】選局マイコンの動作の一部を示すフロー図である。
【図６】選局マイコンの動作の他の一部を示すフロー図である。
【図７】選局マイコンの動作のその他の一部を示すフロー図である。
【図８】ディスプレイに表示されるメニューを示す図解図である。
【符号の説明】
【００２５】
１０  …テレビジョン受像機
１６  …地上波受信回路
１８  …ＣＳディジタル回路
４４  …映像出力回路
４６  …音声出力回路
６４  …マイコン回路
【図１】
2005143130.tif 000003
【図２】
2005143130.tif 000004
【図３】
2005143130.tif 000005
【図４】
2005143130.tif 000006
【図５】
2005143130.tif 000007
【図６】
2005143130.tif 000008
【図７】
2005143130.tif 000009
【図８】
2005143130.tif 000010
【手続補正書】
【提出日】平成17年1月17日(2005.1.17)
【手続補正１】
【補正対象書類名】特許請求の範囲
【補正対象項目名】全文
【補正方法】変更
【補正の内容】
【特許請求の範囲】
【請求項１】
ディジタル放送を受信する第１受信手段およびアナログ放送を受信する第２受信手段を備えるテレビジョン受像機において、
前記アナログ放送のみを受信するアナログ受信モードの設定／解除を手動で切り換えるモード切換手段、
電源投入操作に応答して前記アナログ受信モードの設定／解除を判別する判別手段、
前記アナログ受信モードが解除されていると前記判別手段によって判別されたとき前記第１受信手段および前記第２受信手段の両方の電源を常時オンする電源オン手段、および
前記アナログ受信モードが設定されていると前記判別手段によって判別されたとき前記第１受信手段の電源を常時オフしかつ前記第２受信手段の電源を常時オンする電源オフ／オン手段を備えることを特徴とする、テレビジョン受像機。
【手続補正２】
【補正対象書類名】明細書
【補正対象項目名】０００５
【補正方法】変更
【補正の内容】
【０００５】
この発明に従うテレビジョン受像機は、ディジタル放送を受信する第１受信手段およびアナログ放送を受信する第２受信手段を備えるテレビジョン受像機において、アナログ放送のみを受信するアナログ受信モードの設定／解除を手動で切り換えるモード切換手段、電源投入操作に応答してアナログ受信モードの設定／解除を判別する判別手段、アナログ受信モードが解除されていると判別手段によって判別されたとき第１受信手段および第２受信手段の両方の電源を常時オンする電源オン手段、およびアナログ受信モードが設定されていると判別手段によって判別されたとき第１受信手段の電源を常時オフしかつ第２受信手段の電源を常時オンする電源オフ／オン手段を備えることを特徴とする。
ディジタル放送は第１受信手段によって受信され、アナログ放送は第２受信手段によって受信される。アナログ手段モードの設定／解除はモード切換手段によって手動で切り換えられ、アナログ受信モードがいずれの状態にあるかは電源投入操作に応答して判別手段によって判別される。アナログ受信モードが解除されていると判別手段によって判別されると、電源オン手段が第１受信手段および第２受信手段の両方の電源を常時オンする。一方、アナログ受信モードが設定されていると判別手段によって判別されると、電源オフ／オン手段が第１受信手段の電源を常時オフしかつ第２受信手段の電源を常時オンする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
この発明によれば、無駄な電力の消費を防止することができる。
【手続補正７】
【補正対象書類名】明細書
【補正対象項目名】００１０
【補正方法】削除
【補正の内容】